(57)【特許請求の範囲】
【請求項１】
筐体の前面開口部における前面側に、据付時に水平方向となり、かつ、該前面開口部の貫通方向に交差する方向にわたって桟が形成された前面パネルと、
前記前面開口部及び前記前面パネルを覆うように前記桟に対向して配置され、前記前面開口部を開閉可能とするように設けられた吸込みパネルと、
互いに対向する前記吸込みパネルの裏面、及び前記桟における前記吸込みパネルへの対向面のうちの少なくとも一方に、前記交差する方向に間隔をあけて複数が形成されるとともに、他方に向かって突出して先端が該他方に当接するリブと、
前記筐体の上面開口部を覆うとともに、前記前面パネルに連続して形成された上面パネルと、
を備え、
前記上面パネルは、前記交差する方向に延びる複数の横骨、及び該横骨に交差する複数の縦骨を有して格子状をなし、
前記桟には、前記複数の縦骨が接続されており、
前記リブは、前記桟に前記縦骨が接続されている位置に対応する位置で、前記吸込みパネルにおける前記裏面、及び前記桟における前記対向面のうちの少なくとも一方に形成されている空気調和機。
【請求項２】
前記吸込みパネルは、前記前面開口部を覆うパネル本体と、
前記パネル本体の上端部に前記交差する方向に互いに離間して複数設けられて、前記前面パネルに対して前記パネル本体を固定する支持部と、
を有し、
少なくとも、前記複数の支持部から前記交差する方向に最も離間した領域に前記リブが配置されている請求項１に記載の空気調和機。
【発明の詳細な説明】
【技術分野】
【０００１】
本発明は、空気調和機の室内機に関する。
【背景技術】
【０００２】
従来から、筐体の内部に送風機や熱交換器等を収納し、室内の空気を吸い込んで温度、湿度の調整を行った後に、この空気を吐出することで室内の空調を行う空気調和機が知られている。そして、この空気調和機の一例が特許文献１に開示されている。
【０００３】
ここで、特許文献１に開示された空気調和機の筐体には、前面を覆う前面パネル及び吸込みパネルが設けられており、さらに、これら吸込みパネル及び前面パネルの上方に吸込み口が設けられ、この吸込み口を介して空気を筐体内に吸い込むようになっている。
【先行技術文献】
【特許文献】
【０００４】
【特許文献１】特開２０１０−１１２６２８号公報
【発明の概要】
【発明が解決しようとする課題】
【０００５】
しかしながら、特許文献１に開示されたような従来の空気調和機では、前面パネルと吸込みパネルとの間に隙間が形成されている。このため、例えば搬送時などに、複数の空気調和機を積み重ねると、吸込みパネルが前面側から押圧されることで変形してしまうおそれがある。従って、このような吸込みパネルの変形を回避するためには、前面パネルと吸込みパネルとの間にスペーサ等の別部材を挟み込む等の処置が必要となっており、搬送時の手間が増大してしまうといった問題がある。
【０００６】
本発明は、上記課題を解決するためになされたものであって、簡易な構造で、吸込みパネルが押圧された際の吸込みパネルの変形を抑制することができる空気調和機を提供する。
【課題を解決するための手段】
【０００７】
上記課題を解決するために、本発明は以下の手段を採用する。
本発明の第一の態様に係る空気調和機は、筐体の前面開口部における前面側に、据付時に水平方向となり、かつ、該前面開口部の貫通方向に交差する方向にわたって桟が形成された前面パネルと、前記前面開口部及び前記前面パネルを覆うように前記桟に対向して配置され、前記前面開口部を開閉可能とするように設けられた吸込みパネルと、互いに対向する前記吸込みパネルの裏面、及び前記桟における前記吸込みパネルへの対向面のうちの少なくとも一方に、前記交差する方向に間隔をあけて複数が形成されるとともに、他方に向かって突出して先端が該他方に当接するリブと、前記筐体の上面開口部を覆うとともに、前記前面パネルに連続して形成された上面パネルと、を備え、前記上面パネルは、前記交差する方向に延びる複数の横骨、及び該横骨に交差する複数の縦骨を有して格子状をなし、  前記桟には、前記複数の縦骨が接続されており、前記リブは、前記桟に前記縦骨が接続されている位置に対応する位置で、前記吸込みパネルにおける前記裏面、及び前記桟における前記対向面のうちの少なくとも一方に形成されている。
【０００８】
このような空気調和機によれば、前面パネルに桟が形成され、この桟と吸込みパネルとがリブを介して接触する。従って、吸込みパネルが押圧された際に、桟との間の隙間によって撓んでしまうことが無くなる。また、吸込みパネルが桟に対してずれるようにして相対移動したとしても、リブを介して吸込みパネルと桟とが接触することで、これら吸込みパネルと桟との接触面積を低減することができる。従って、相対移動時に発生する擦れ音や、吸込みパネル及び桟の傷つきを抑制することができる。
またこのように、横骨と縦骨とによって格子状に組まれた上面パネルの縦骨が桟に接続されていることで、吸込みパネルからリブを介して桟に押圧力が作用した際に、この力が上面パネルの縦骨に伝達するため、桟の変形を抑制することができる。従って、吸込みパネルが押圧された際の吸込みパネルの撓みをさらに抑制することができる。
またこのような位置にリブが形成されていることで、吸込みパネルからリブを介して桟に押圧力が作用した際に、この力が上面パネルの縦骨に直接的に伝達することになり、桟の変形をさらに抑制することができる。従って、吸込みパネルが押圧された際の吸込みパネルの撓みをさらに抑制することができる。
【００１３】
また、本発明の第二の態様に係る空気調和機では、上記第一の態様における前記吸込みパネルは、前記前面開口部を覆うパネル本体と、前記パネル本体の上端部に前記交差する方向に互いに離間して複数設けられて、前記前面パネルに対して前記パネル本体を固定する支持部と、を有し、少なくとも、前記複数の支持部から前記交差する方向に最も離間した領域に前記リブが配置されていてもよい。
【００１４】
このような空気調和機によれば、吸込みパネルに設けられた支持部同士の間であって、これら支持部から最も離間した領域にリブが配置されていることで、仮にリブが無い場合に、最も吸込みパネルに撓み変形が生じやすい領域にリブが配置されていることになる。従って、吸込みパネルが押圧された際の吸込みパネルの撓みを効果的に抑制することができる。
【発明の効果】
【００１５】
上記の空気調和機によれば、簡易な構造で、吸込みパネルが押圧された際の吸込みパネルの変形を抑制することができる。
【図面の簡単な説明】
【００１６】
【図１】本発明の実施形態に係る空気調和機を示す外観斜視図であって、（ａ）は吸込みパネルが取り外された状態を示し、（ｂ）は吸込みパネルが取り付けられた状態を示す。
【図２】本発明の実施形態に係る空気調和機における吸込みパネルを裏面側から見た斜視図である。
【図３】本発明の実施形態に係る空気調和機における吸込みパネルと、前面パネルとの接触状態を示す断面図であって、図１（ｂ）のＡ−Ａ断面を示す。
【発明を実施するための形態】
【００１７】
以下、本発明の実施形態に係る空気調和機１について説明する。
空気調和機１は、室内に設けられる室内機であって、空気Ａを吸い込んで温度、湿度の調整を行った後に空気Ａを吐出し、室内の空調を行う装置である。
【００１８】
図１（ａ）及び図１（ｂ）に示すように、空気調和機１は、据付時に水平方向となる方向に横長の直方体形状をなす筐体２と、筐体２の内部に収容される空調機器５とを備えている。
ここで、以下では、据付時に水平方向となる方向を左右方向とし、据付時に上下方向となる方向を単に上下方向とし、これら左右方向及び上下方向に直交する方向を前後方向とする。なお、据付時に手前側となるのが前後方向の前側である。
【００１９】
空調機器５としては、熱交換器６、熱交換器６によって覆われるように設けられた送風ファン７、空気Ａの吸込み口に設けられるフィルタ８、及び、左右方向の一端側に設けられて空調の制御を行うコントロールボックス９等が主に設けられている（図３参照）。
【００２０】
筐体２は、据付時に手前側となる前面側に配される前面パネル１６と、前面パネル１６に一体に接続されて据付時に上方に配置される上面パネル２０と、前面パネル１６及び上面パネル２０とともに内部に空調機器５を収容する空間Ｓ（図３参照）を画成する筐体本体１０とを備えている。
さらに、この筐体２は、前面パネル１６を前方から覆う吸込みパネル２５と、吸込みパネル２５に形成されたリブ２６とを備えている。
【００２１】
筐体本体１０は、左右方向に一対に配置された側面パネル１２と、これら一対の側面パネル１２に一体に接続されて据付け面に対向する背面パネル１１と、一対の側面パネル１２と背面パネル１１とを支持するとともに下方に配置された底面パネル１３とを有している。
【００２２】
このようにして筐体本体１０は、一対の側面パネル１２、背面パネル１１、及び底面パネル１３によって囲まれる空調機器５を収容する空間Ｓを画成するとともに、この空間Ｓは前方及び上方に開口している。即ち、筐体本体１０には、筐体２を前後方向に貫通する前面開口部ＯＰ１、及び上下方向に貫通する上面開口部ＯＰ２が形成されている。
【００２３】
前面パネル１６は、前面開口部ＯＰ１の前面側に、筐体本体１０に一体に設けられている。
この前面パネル１６は、本実施形態では、左右方向に互いに離間して底面パネル１３から上方に延びる複数の前面縦骨１７と、前面開口部ＯＰ１の上側でこれら前面縦骨１７に接続されて、左右方向（前面開口部ＯＰ１の貫通方向に交差する方向）にわたって延びて形成されるとともに一対の側面パネル１２に接続された桟１８と、桟１８の下方で、左右方向に前面縦骨１７同士を接続する前面横骨１９とを有している。
【００２４】
これにより、前面パネル１６は格子状をなしている。
また、左右方向の略中央に位置する前面縦骨１７は、他の前面縦骨１７に比べて左右方向の幅寸法が大きく形成された前面縦骨１７Ａとなっている。
【００２５】
上面パネル２０は、上面開口部ＯＰ２の上面側に、筐体本体１０に一体に設けられており、前後方向に延びる複数の縦骨２１、及びこれら縦骨２１に交差するように左右方向に延びる複数の横骨２２を有して格子状をなしている。
【００２６】
各々の縦骨２１は、左右方向に互いに離間して設けられるとともに、各々が前面パネル１６の桟１８と背面パネル１１とに接続されている。
また、各々の横骨２２は、前後方向に互いに離間して、桟１８と平行となるように設けられ、各々が一対の側面パネル１２に接続されている。
【００２７】
なお、空気Ａは上面開口部ＯＰ２から筐体２の空間Ｓに取り込まれるようになっている。
【００２８】
図２に示すように、吸込みパネル２５は、前面開口部ＯＰ１及び前面パネル１６を覆うように前面パネル１６のさらに前方側に配置されるとともに桟１８に対向して配置され、筐体本体１０に対して着脱可能となっていることで前面開口部ＯＰ１を開閉可能としている。
【００２９】
より具体的には、本実施形態の吸込みパネル２５は、前面開口部ＯＰ１及び前面パネル１６を覆うパネル本体２８と、パネル本体２８の上端部に左右方向に互いに離間して複数設けられて、パネル本体２８を前面パネル１６に対して固定する支持部２９とを有している。
【００３０】
パネル本体２８は、裏面２８ａが前面パネル１６の桟１８に対向するように配される板状をなしている。
【００３１】
支持部２９は、パネル本体２８の裏面２８ａの上端部で左右方向の両端部及び中央部に設けられた突起である。そして、吸込みパネル２５が筐体本体１０に取り付けられた状態では、両端部に設けられた支持部２９Ａは、一対の側面パネル１２各々に前面から後方に向かって凹むように形成された受け穴１２ａに挿入される。また、中央部に設けられた支持部２９Ｂは、左右方向の略中央に位置する前面縦骨１７Ａに接触する。
【００３２】
ここで、パネル本体２８の下端部には、左右方向に離間して複数の突起部２７が形成されており、吸込みパネル２５が筐体本体１０に取り付けられた状態では前面パネル１６の下端部に係合することで吸込みパネル２５が固定されるようになっている。本実施形態では突起部２７としては、左右方向の両端部に一つずつの突起部２７Ａと、これら突起部２７Ａ同士の間に左右方向に離間して二つの突起部２７Ｂとが設けられ、これら突起部２７同士は左右方向に等間隔に配置されている。
【００３３】
図３に示すように、リブ２６は、吸込みパネル２５が取り付けられて前面開口部ＯＰ１を覆っている状態で、桟１８に対向する位置で、吸込みパネル２５におけるパネル本体２８の裏面２８ａに左右方向に互いに離間して桟１８に向かって突出するようにして複数形成されている。
なお、本実施形態では、これらリブ２６は、吸込みパネル２５の上下方向に縦長の棒状に形成されている。
【００３４】
さらに、本実施形態では、複数のリブ２６のうちの一部のリブ２６は、上面パネル２０の縦骨２１が桟１８に接続されている位置に対応する左右方向の位置に形成されている。さらに、本実施形態では、これらリブ２６は、支持部２９同士のちょうど中間の位置を含む領域に配置されている。即ち、複数のリブ２６が形成されたリブ群２６Ａが、左右方向に離間した二か所の領域に設けられている。換言すると、支持部２９から左右方向に最も離間した領域にリブ２６が配置されている。
【００３５】
ここで、吸込みパネル２５が取付けられている状態で、パネル本体２８の裏面２８ａと、この裏面２８ａに対向する桟１８の対向面１８ａとの間には隙間が形成されており、リブ２６の表面（先端）が桟１８の対向面１８ａに当接するようになっている。
【００３６】
なお、リブ２６は、吸込みパネル２５に前方からの外力が作用していない状態では完全に桟１８の対向面１８ａに当接していなくともよく、このような状態でリブ２６の表面と桟１８の対向面１８ａとの間に微小な隙間が形成されていてもよい。
【００３７】
以上説明した空気調和機１によると、前面パネル１６に桟１８が形成され、吸込みパネル２５が取付けられた状態では、桟１８と吸込みパネル２５とがリブ２６を介して接触する。
ここで例えば搬送時などに、一台の空気調和機１における吸込みパネル２５と、他の一台の空気調和機１における背面パネル１１とが対向するように、複数の空気調和機１を積み重ねることがある。
【００３８】
このような状態では、吸込みパネル２５には前方から押圧力が作用するが、このように吸込みパネル２５が押圧された際にリブ２６の表面が桟１８の対向面１８ａに当接することで、吸込みパネル２５と桟１８との間に隙間が存在することによって生じる吸込みパネル２５の撓みを抑制することができる。
【００３９】
また、吸込みパネル２５が桟１８に対して左右方向、上下方向にずれるようにして相対移動したとしても、リブ２６を介してこれら吸込みパネル２５と桟１８とが接触していることで、これら吸込みパネル２５と桟１８との接触面積を低減することができる。従って、相対移動時に発生する擦れ音や、吸込みパネル２５及び桟１８の傷つきを抑制することができる。
【００４０】
また、上面パネル２０の縦骨２１が桟１８に接続されていることで、吸込みパネル２５からリブ２６を介して桟１８に押圧力が作用した際には、この力が上面パネル２０の縦骨２１に伝達する。従って、桟１８の変形を抑制することができ、吸込みパネル２５が押圧された際の吸込みパネル２５の撓みをさらに抑制することができる。
【００４１】
さらに、本実施形態では、桟１８と縦骨２１とが接続されている位置に対応する位置にリブ２６が形成されていることで、吸込みパネル２５からリブ２６を介して桟１８に押圧力が作用した際には、この力が上面パネル２０の縦骨２１に直接的に伝達することになる。従って、桟１８の変形をさらに抑制することができ、吸込みパネル２５が押圧された際の吸込みパネル２５の撓みをさらに抑制することができる。
【００４２】
また、吸込みパネル２５に設けられた支持部２９同士の間であって、これら支持部２９から最も離間した領域にリブ２６が配置されていることで、仮にリブ２６が無い場合に、最も吸込みパネル２５に撓み変形が生じやすい位置にリブ２６が配置されていることになる。従って、吸込みパネル２５が押圧された際の吸込みパネル２５の撓みを効果的に抑制することができる。
【００４３】
本実施形態の空気調和機１によると、吸込みパネル２５に桟１８に対向するリブ２６を形成したことで、簡易な構造で、吸込みパネル２５が押圧された際の吸込みパネル２５の変形を抑制することが可能となる。
【００４４】
以上、本発明の実施形態について詳細を説明したが、本発明の技術的思想を逸脱しない範囲内において、多少の設計変更も可能である。
例えば、リブ２６は、桟１８に形成されていてもよいし、吸込みパネル２５と桟１８との両者に形成されていてもよい。
【００４５】
さらに、リブ２６は、支持部２９同士の間で、左右方向の全域にわたって形成されていてもよいし、左右方向の一部の領域にのみ形成されていてもよい。
【符号の説明】
【００４６】
１…空気調和機  ２…筐体  ５…空調機器  ６…熱交換器  ７…送風ファン  ８…フィルタ  ９…コントロールボックス  １０…筐体本体  １１…背面パネル  １２…側面パネル  １２ａ…受け穴  １３…底面パネル  １６…前面パネル  １７、１７Ａ…前面縦骨  １８…桟  １８ａ…対向面  １９…前面横骨  ２０…上面パネル  ２１…縦骨  ２２…横骨  ２５…吸込みパネル  ２６…リブ  ２６Ａ…リブ群  ２７、２７Ａ、２７Ｂ…突起部  ２８…パネル本体  ２８ａ…裏面  ２９、２９Ａ、２９Ｂ…支持部  Ｓ…空間  ＯＰ１…前面開口部  ＯＰ２…上面開口部  Ａ…空気
【図１】
0006579683.tif 000002
【図２】
0006579683.tif 000003
【図３】
0006579683.tif 000004